(57)【特許請求の範囲】
【請求項１】
紫外線を含む光を照射する光源を暗状態と明状態とを相互に切替えて動作させる点灯制御装置を備えた誘虫装置であって、上記点灯制御装置は、暗状態と明状態とを切替える切替周期が５０〜４００Ｈｚの範囲となるように制御するものであり、上記暗状態において上記光源の輝度の最大出力の１０％以下にならないように制御するものであることを特徴とする誘虫装置。
【請求項２】
上記光源は、放電灯であることを特徴とする請求項１記載の誘虫装置。
【請求項３】
上記切替周期は５０〜３００Ｈｚの範囲であることを特徴とする請求項１〜２のいずれか１項に記載の誘虫装置。
【請求項４】
上記切替周期は５０〜１７０Ｈｚの範囲であることを特徴とする請求項１〜２のいずれか１項に記載の誘虫装置。
【請求項５】
上記切替周期は５０〜１４０Ｈｚの範囲であることを特徴とする請求項１〜２のいずれか１項に記載の誘虫装置。
【請求項６】
上記切替周期は５０〜１００Ｈｚの範囲であることを特徴とする請求項１〜２のいずれか１項に記載の誘虫装置。
【発明の詳細な説明】
【技術分野】
【０００１】
本発明は、紫外線を含む光を照射する光源を、暗状態と明状態とを相互に切替えて動作させる誘虫装置に関するものである。
【背景技術】
【０００２】
従来、紫外線を含む光を照射する光源を、暗状態と明状態とを相互に切替えて動作させる誘虫装置として、発光主波長が４７０±２０ｎｍであり、スペクトル半値幅が３０±１０ｎｍである発光ダイオードを３０Ｈｚ以下の範囲、望ましくは２０Ｈｚ以下で点滅させることで、特にノミの誘引を効果的に行うものが提案されている（例えば、特許文献１参照）。
【０００３】
また、他の従来技術として、４００〜５００ｎｍに発光の主波長を持つランプを１〜４５Ｈｚの範囲、望ましくは１〜３０Ｈｚで点滅させることで、蚊、蝿といった害虫の誘引を効果的に行うものが提案されている（例えば、特許文献２参照）。
【０００４】
さらに、他の従来技術として、４００〜４００ｎｍの紫外放射を含む可視光を放射する捕虫用光源を数分から数十分の周期で点滅させることで、蛾のような害虫の誘引を効果的に行うものが提案されている（例えば、特許文献３参照）。
【特許文献１】特開２００１−１４５４４９号公報
【特許文献２】特開２０００−２５３７９３号公報
【特許文献３】特開平０６−１５３７５３号公報
【発明の開示】
【発明が解決しようとする課題】
【０００５】
しかしながら、光源を、暗状態と明状態とを相互に切替えて動作させるに当たり、切替える周期が５０Ｈｚを下回る場合には、人間の目に切替が自覚され、光源のちらつきとして認識されて光源があたかも故障しているような違和感を生じることになり、照明環境として好ましくない。
【０００６】
本発明は、上記背景技術に鑑みてなされたものであり、蚊、蝿、蛾といった昆虫類を効果的に誘引するとともに、人間の目にちらつきとして認識されず、照明環境を好ましいものとする誘虫装置を提供することを課題とする。
【課題を解決するための手段】
【０００７】
上記課題を解決するために、本発明の誘虫装置は、紫外線を含む光を照射する光源を暗状態と明状態とを相互に切替えて動作させる点灯制御装置を備えた誘虫装置であって、上記点灯制御装置は、暗状態と明状態とを切替える切替周期が５０〜４００Ｈｚの範囲となるように制御し、上記暗状態において上記光源の輝度の最大出力の１０％以下にならないように制御することを特徴としている。
【０００８】
請求項２記載の発明の誘虫装置は、上記光源は、放電灯であることを特徴としている。
【０００９】
請求項３記載の発明の誘虫装置は、上記切替周期が５０〜３００Ｈｚの範囲であることを特徴としている。
【００１０】
請求項４記載の発明の誘虫装置は、上記切替周期が５０〜１７０Ｈｚの範囲であることを特徴としている。
【００１１】
請求項５記載の発明の誘虫装置は、上記切替周期が５０〜１４０Ｈｚの範囲であることを特徴としている。
【００１２】
請求項６記載の発明の誘虫装置は、上記切替周期が５０〜１００Ｈｚの範囲であることを特徴としている。
【００１３】
ここに、暗状態とは消灯状態又は相対的に暗い輝度での点灯状態をいい、また、明状態とは暗状態よりも相対的に明るい輝度での点灯状態をいい、暗状態と明状態とを相互に切替えて動作させるとは、光源が上記の暗状態と明状態とを相互に繰り返しながら動作することをいう。
【発明の効果】
【００１４】
請求項１記載の発明によれば、暗状態と明状態とを切替える周期が５０〜４００Ｈｚの範囲に制御されるため、蚊、蝿、蛾といった昆虫類を効果的に誘引する効果を維持しつつ、人間の目に切替が自覚されず光源のちらつきとして認識されないため、照明環境を好ましいものにすることができる。また、上記暗状態が光源の輝度の最大出力の１０％以下にならないように制御されるため、低輝度点灯によって不意に消灯してしまうといった不具合発生を防止して、安定した誘引を行うことができる。
【００１５】
請求項２記載の発明によれば、光源を放電灯とした安定した誘引を行うことができる。
【００１６】
請求項３記載の発明によれば、上記切替周期が５０〜３００Ｈｚであるため、特にハチ目昆虫を効果的に誘引することができる。
【００１７】
請求項４記載の発明によれば、上記切替周期が５０〜１７０Ｈｚであるため、特にトンボ目昆虫を効果的に誘引することができる。
【００１８】
請求項５記載の発明によれば、上記切替周期が５０〜１４０Ｈｚであるため、特にハエ目昆虫を効果的に誘引することができる。
【００１９】
請求項６記載の発明によれば、上記切替周期が５０〜１００Ｈｚであるため、特にイエバエやキンバエ類を効果的に誘引することができる。
【発明を実施するための最良の形態】
【００２０】
以下、本発明の実施の形態について、図面を参照して説明する。図１は本発明の実施の形態における誘虫装置の斜視図である。
【００２１】
この実施の形態の誘虫装置１は、光源２と、この光源２を覆って配置されて一面が開放された箱形状の遮光部材３と、光源２から照射された光を開放面に向けて効率良く反射する反射部材４と、光源２を暗状態と明状態とを相互に切替えて動作させる点灯制御装置５と、誘引された虫を捕獲する捕虫装置６を備えている。
【００２２】
上記の光源３は、例えば蛍光灯、高圧ナトリウム灯、水銀灯、メタルハライドランプ、発光ダイオード等の汎用の光源を用いることができる。例えば、光源２として蛍光灯を使用する場合、その分光分布Ｐ（λ）は図２に示すようになり、ピーク波長が３６０ｎｍをもつ紫外線（いわゆるブラックライト）を発光するものである。
【００２３】
また、遮光部材３、反射部材４、および捕虫装置６を構成する筐体は、クリア塗装されたステンレス板で構成される。
【００２４】
点灯制御装置５は、例えば遮光部材３と反射部材４との間の空間内に設置されており、商用電源を整流平滑する整流平滑回路と、整流平滑回路から供給される電力によりスイッチング素子を動作させて高周波電力を生成する高周波電力発生回路と、スイッチング素子の動作タイミングを制御して光源の暗状態と明状態とを切替える周期を調節する調光制御回路とを有する汎用のものが適用される。
【００２５】
そして、この実施の形態の特徴として、点灯制御装置５は、紫外線を含む光を照射する光源２を暗状態と明状態とを相互に切替えて動作させる場合の切替周期が５０〜４００Ｈｚの範囲となるように制御する。しかも、点灯制御装置５は、暗状態において光源２の輝度の最大出力の１０％以下にならないように制御するようにしている。
【００２６】
捕虫装置６は、この実施の形態では交換可能な粘着シートからなるが、その他に電撃殺虫器、水盤式捕虫器、加熱式殺虫器などを適用することもできる。
【００２７】
［実施例］
本発明の誘虫装置１において、光源２を暗状態と明状態とを相互に切替えて動作させる場合の切替周期を６０〜２５０Ｈｚの範囲となるように点灯制御した場合の実施例１〜７と、その比較のために切替周期を０〜２０Ｈｚの範囲で点灯制御した場合の比較例１〜１０とについて、その評価を行った結果を表１に示す。なお、ここでの誘虫性は、以下の手順（１）〜（３）によって評価を行った。
【００２８】
まず、（１）実施例１〜７、および比較例１〜１０の各条件の下で、明状態と暗状態を相互に切り替えて動作させるように捕虫装置に加えて、一定の光強度で点灯する対照捕虫装置を同時に暗室内に設置して点灯する。次に、（２）暗室内に各種昆虫を放飼し、３時間後の粘着シート面における捕虫数を計数する。そして、（３）対照捕虫装置の捕虫数に対する実施例１〜７、および比較例１〜１０の条件の下で捕虫装置で捕虫した捕虫数の割合を計算し、これを誘虫性とする。
【００２９】
【表１】
0004687490.tif 000002
【００３０】
表１に示す実施例１〜７および比較例１〜１０の結果から明らかなように、暗状態と明状態とを切替える周期が５０〜４００Ｈｚの範囲であれば、蚊、蝿、蛾といった昆虫類を効果的に誘引する効果を維持しつつ、人間の目に切り替えが自覚されず、光源のちらつきとして認識されないため、照明環境を好ましいものにすることができる。
【００３１】
特に、暗状態と明状態とを切替える切替周期が５０〜３００Ｈｚの範囲とした場合には、ハチ目昆虫を効果的に誘引することができる。
【００３２】
また特に、暗状態と明状態とを切替える切替周期が５０〜１７０Ｈｚの範囲とした場合には、トンボ目昆虫を効果的に誘引することができる。
【００３３】
また特に、暗状態と明状態とを切替える切替周期が５０〜１４０Ｈｚの範囲とした場合には、ハエ目昆虫を効果的に誘引することができる。
【００３４】
また特に、暗状態と明状態とを切替える切替周期が５０〜１００Ｈｚの範囲とした場合には、イエバエ・キンバエ類を効果的に誘引することができる。
【００３５】
また、暗状態が光源２の輝度の最大出力の１０％以下にならないように点灯した場合には、特に光源として放電灯を使用する際、低輝度点灯によって光源２が不意に消灯してしまうといった不具合発生を防止して、安定した誘引を行うことができる。
【図面の簡単な説明】
【００３６】
【図１】本発明の実施の形態における誘虫装置の斜視図である。
【図２】同誘虫装置で使用される光源の一例として蛍光灯を用いた場合の分光分布Ｐ（λ）を示す特性図である。
【符号の説明】
【００３７】
１      誘虫装置
２      光源
３      遮光部材
４      透光部材
５      点灯制御装置
【図１】
0004687490.tif 000003
【図２】
0004687490.tif 000004